(57)【要約】【課題】複数のコードを一つの被供給部へと供給するに際して、供給中のコード切れを検知することができるコード供給装置を提供する。【解決手段】複数のコードボビン２から、それぞれコード３を引き出しながら、一つの被供給部５へと供給するコード供給装置である。各コード３にそれぞれ設けられ、コード３の張力によって第１の位置に保持されるとともに、張力の低下によって第２の位置に移動する複数の移動子１１と、複数の移動子１１のいずれか一つが第２の位置に移動したことを検知しうるセンサー１３とを含む。【選択図】  図３
2016216849.tif 000002
【特許請求の範囲】
【請求項１】
複数のコードボビンから、それぞれコードを引き出しながら、一つの被供給部へと供給するコード供給装置であって、
前記コードボビンを回転自在に支持するフレームと、
前記各コードにそれぞれ設けられ、かつ、前記各コードボビンと前記被供給部との間をのびる前記コードの張力によって第１の位置に保持されるとともに、前記張力の低下によって第２の位置に移動する複数の移動子と、
前記複数の移動子のいずれか一つが前記第２の位置に移動したことを検知しうるセンサーとを含むことを特徴とするコード供給装置。
【請求項２】
前記移動子は、前記コードが通過する開口部を有することにより、前記コードに吊り下げられて前記第１の位置に保持されている請求項１記載のコード供給装置。
【請求項３】
前記移動子は、底部にガイド溝を有し、前記コード上に載せられることで前記第１の位置に保持されている請求項１記載のコード供給装置。
【請求項４】
前記移動子は、前記張力の低下により重力で下降して前記第２の位置に移動する請求項１乃至３のいずれかに記載のコード供給装置。
【請求項５】
前記複数の移動子をそれぞれ上下に移動可能に支持する複数のガイド孔を具えたホルダーをさらに含む請求項１乃至４のいずれかに記載のコード供給装置。
【請求項６】
前記移動子は、前記第２の位置で前記ホルダーに衝突して前記ガイド孔からの抜け落ちを防ぐ係合部を含む請求項５記載のコード供給装置。
【請求項７】
前記移動子は、弾発手段により、前記ホルダーに対して、上向きに付勢されており、
前記弾発手段の付勢力と前記コードの張力との釣合いにより、前記移動子は、前記第１の位置に保持されており、
前記移動子は、前記コードの張力の低下によって前記第２の位置へと移動する請求項５記載のコード供給装置。
【請求項８】
前記センサーは、投光部と、前記投光部から照射された検出光を受ける受光部とを有し、
前記複数の移動子は、前記投光部と前記受光部との間に配されており、
前記移動子のいずれか一つが前記第２の位置へ移動することで、前記検出光が前記受光部へ到達するのが妨げられる請求項１乃至７のいずれかに記載のコード供給装置。
【発明の詳細な説明】
【技術分野】
【０００１】
本発明は、複数のコードを一つの被供給部へと供給するためのコード供給装置に関し、詳しくは、供給中のコード切れを検知することができるコード供給装置に関する。
【背景技術】
【０００２】
例えば、空気入りタイヤを製造するために、コードストリップが利用されている。コードストリップは、複数本のタイヤコードが並列されたコード並列体を、未加硫ゴムでトッピングしたテープ状又はシート状のものである。
【０００３】
コードストリップを製造するために、コード供給装置が利用されている。コード供給装置は、複数のコードボビンからそれぞれコードを引き出すとともに、これらをコード並列体として整えた後、被供給部としてのゴム被覆装置へと供給する（例えば、下記特許文献１参照。）。
【先行技術文献】
【特許文献】
【０００４】
【特許文献１】特開２０１３−２３０７００号公報
【発明の概要】
【発明が解決しようとする課題】
【０００５】
ところで、コード供給装置の運転中に、コードの物理的な切断、又は、ボビンから全てコードが引き出されてしまったような場合、コードの供給切れが生じる。複数のコードボビンの内、一つでもコードの供給切れが生じると、製造されるコードストリップの品質が低下するため、コード供給装置を停止させる必要がある。
【０００６】
本発明は、以上のような実状に鑑み案出されたもので、複数のコードを一つの被供給部へと供給するに際して、供給中のコード切れを検知することができるコード供給装置を提供することを主たる目的としている。
【課題を解決するための手段】
【０００７】
本発明は、複数のコードボビンから、それぞれコードを引き出しながら、一つの被供給部へと供給するコード供給装置であって、前記コードボビンを回転自在に支持するフレームと、前記各コードにそれぞれ設けられ、かつ、前記各コードボビンと前記被供給部との間をのびる前記コードの張力によって第１の位置に保持されるとともに、前記張力の低下によって第２の位置に移動する複数の移動子と、前記複数の移動子のいずれか一つが前記第２の位置に移動したことを検知しうるセンサーとを含むことを特徴としている。
【０００８】
本発明のコード供給装置において、前記移動子は、前記コードが通過する開口部を有することにより、前記コードに吊り下げられて前記第１の位置に保持されているのが望ましい。
【０００９】
本発明のコード供給装置において、前記移動子は、底部にガイド溝を有し、前記コード上に載せられることで前記第１の位置に保持されているのが望ましい。
【００１０】
本発明のコード供給装置において、前記移動子は、前記張力の低下により重力で下降して前記第２の位置に移動するのが望ましい。
【００１１】
本発明のコード供給装置において、前記複数の移動子をそれぞれ上下に移動可能に支持する複数のガイド孔を具えたホルダーをさらに含むのが望ましい。
【００１２】
本発明のコード供給装置において、前記移動子は、前記第２の位置で前記ホルダーに衝突して前記ガイド孔からの抜け落ちを防ぐ係合部を含むのが望ましい。
【００１３】
本発明のコード供給装置において、前記移動子は、弾発手段により、前記ホルダーに対して、上向きに付勢されており、前記弾発手段の付勢力と前記コードの張力との釣合いにより、前記移動子は、前記第１の位置に保持されており、前記移動子は、前記コードの張力の低下によって前記第２の位置へと移動するのが望ましい。
【００１４】
本発明のコード供給装置において、前記センサーは、投光部と、前記投光部から照射された検出光を受ける受光部とを有し、前記複数の移動子は、前記投光部と前記受光部との間に配されており、前記移動子のいずれか一つが前記第２の位置へ移動することで、前記検出光が前記受光部へ到達するのが妨げられるのが望ましい。
【発明の効果】
【００１５】
本発明のコード供給装置は、複数のコードボビンから、それぞれコードを引き出しながら、一つの被供給部へと供給するコード供給装置であって、コードボビンを回転自在に支持するフレームと、各コードにそれぞれ設けられ、かつ、各コードボビンと被供給部との間をのびるコードの張力によって第１の位置に保持されるとともに、張力の低下によって第２の位置に移動する複数の移動子と、複数の移動子のいずれか一つが第２の位置に移動したことを検知しうるセンサーとを含んでいる。
【００１６】
本発明のコード供給装置では、コード供給装置の運転中、コードの物理的な切断、又は、ボビンから全てコードが引き出されてしまったような場合、当該コードの張力が低下乃至ゼロとなり、それに関連付けられた移動子が、第２の位置へと移動する。センサーは、このような移動子の移動を検知することにより、いずれかのコードボビンにコード切れが生じたことを検知することができる。しかも、本発明のコード供給装置では、センサーが、複数の移動子の動きを検知することができる。従って、本発明のコード供給装置では、各移動子や各コードボビンそれぞれにセンサーを設ける必要がないので、安価に装置を構成することができる。
【図面の簡単な説明】
【００１７】
【図１】本発明の一実施形態のコード供給装置の全体図である。
【図２】コードストリップの拡大斜視図である。
【図３】図１のコード切れ検知部の拡大図である。
【図４】図３のコード切れを検知したときのコード切れ検知部の拡大図である。
【図５】本発明の他の実施形態のコード切れ検知部の拡大図である。
【図６】本発明の他の実施形態のコード切れ検知部の拡大図である。
【発明を実施するための形態】
【００１８】
以下、本発明の実施の一形態が、図面に基づき説明される。
図１には、本実施形態のコード供給装置１の全体図が示されている。本実施形態のコード供給装置（以下、単に「装置」と記載する場合がある。）１は、例えば、図２で示されるような空気入りタイヤの製造に利用されるコードストリップ９を製造するときに用いられる。コードストリップ９は、複数本のタイヤコード３が並列されたコード並列体４を、未加硫ゴムＧでトッピングしたテープ状又はシート状のものである。コードストリップ９は、例えば、空気入りタイヤのカーカスプライやベルトプライを製造するときに好適に用いられる。
【００１９】
図１に示されるように、本実施形態のコード供給装置１は、複数のコードボビン２からそれぞれコード３を引き出すとともに、これらを被供給部５としてのゴム被覆装置６へと供給する。ゴム被覆装置６では、各コード３がバッフル３０を通過することにより、コード並列体として整列された後、ゴム押出機３１から吐出される未加硫ゴムと合流し、押出口３２からコードストリップ９として吐出される。
【００２０】
コード供給装置１は、フレーム７を有する。フレーム７は、複数のコードボビン２を、例えば、その回転軸が水平となるように回転自在に支持している。コードボビン２には、予めコード３が巻回されて蓄えられている。コードボビン２は、例えば、下流側に設けられたコードストリップ９を巻取る装置（図示省略）によってコード３が引き出される。コードボビン２は、例えば、その空転を防ぐためのブレーキを具えている。これにより、コード３は、コードボビン２からゴム被覆装置６まで張力が作用した状態で供給される。
【００２１】
コードボビン２の下流には、複数の案内ローラ８が設けられている。各案内ローラ８は、コード切れ検知部１０の手前でコード３を平行に並列させる。コード切れ検知部１０には、例えば、コード３が水平方向に供給される。
【００２２】
図３には、コード切れ検知部１０の拡大図が示されている。図３に示されるように、コード切れ検知部１０は、各コード３に設けられた移動子１１と、移動子１１を支持するホルダー１２と、移動子１１を検知する一つのセンサー１３とを含んでいる。
【００２３】
ホルダー１２は、例えば、各コード３の下側に配され、コード切れ検知部１０の本体１４に支持されている。ホルダー１２は、例えば、上下方向に貫通したガイド孔１５を複数具えている。各ガイド孔１５には、移動子１１が嵌められている。これにより、ホルダー１２は、各移動子１１をそれぞれ上下に移動可能に支持している。
【００２４】
移動子１１は、例えば、コード３側に設けられた第１部分１６と、ガイド孔１５に嵌められた第２部分１７とを含んでいる。
【００２５】
第１部分１６は、例えば、コード３が通過する開口部１８を有している。移動子１１は、例えば、開口部１８を通過するコード３に吊り下げられている。移動子１１は、コード３の張力によって、第１の位置に保持される。第１の位置は、各コード３が通常運転によって供給されるときの移動子１１の位置（図３に示される各移動子１１の位置）である。被供給部５（図１に示され、以下、同様である。）が通常運転を継続する場合、移動子１１は、第１の位置に保持され続ける。
【００２６】
開口部１８は、例えば、コード３との摩擦を小さくするために、回転自在に支持された円柱状のローラ１９をコード３の上下に一対有しているのが望ましい。
【００２７】
第２部分１７は、例えば、第１部分１６の下側に連なり、ガイド孔１５を通ってホルダー１２の下側までのびている。これにより、第２部分１７は、ガイド孔１５によって上下に移動可能に支持されている。
【００２８】
コード供給装置１の運転中、コード３の物理的な切断、又は、コードボビン２（図１に示され、以下、同様である。）から全てコード３が引き出されてしまった場合、当該コード３の張力が低下乃至ゼロとなり、それに関連付けられた移動子１１が、第２の位置へと移動する。
【００２９】
図４には、移動子１１の一つが第２の位置に移動したときのコード切れ検知部１０の拡大図が示されている。図４では、左から２番目に位置するコード３ｂ（破線で示す）の張力が低下し、そのコード３ｂに保持されていた移動子１１ｂが第２の位置に移動している。
【００３０】
図４に示されるように、移動子１１ｂは、コード３ｂの張力の低下により、重力で下降して第２の位置に移動する。このとき、第２部分１７は、ガイド孔１５に対して摺動する。他の移動子１１ａ乃至１１ｆも、他のコード３ａ乃至３ｆの張力が低下した場合には、重力で下降して第２の位置に移動しうる。
【００３１】
移動子１１が重力で滑らかに下降するために、ガイド孔１５の内面及びこれに接触する第２部分１７の外面は、平滑であるのが望ましい。また、同様の観点から、第２部分１７のホルダー１２よりも下側には、重り２０が配されているのが望ましい。
【００３２】
センサー１３は、例えば、光を用いた非接触式のものが好適に用いられる。具体的には、センサー１３は、例えば、投光部２１と、投光部２１から照射された検出光２２を受ける受光部２３とを有している。各移動子１１のいずれか一つが第２の位置に移動した場合、当該移動子１１の第２部分１７が、投光部２１と受光部２３との間に移動する。これにより、検出光２２が受光部２３へ到達するのが妨げられ、移動子１１が移動したことが検知される。但し、このような態様に限定されるものではなく、一つのセンサー１３で複数の移動子１１の移動を検知できるものであれば、公知のものが好適に採用される。
【００３３】
センサー１３は、複数の移動子１１のいずれか一つが第２の位置に移動したことを検知することができ、ひいてはいずれかのコードボビン２にコード切れが生じたことを検知することができる。しかも、本実施形態のコード供給装置１では、一つのセンサー１３で、複数の移動子１１の動きを検知することができる。従って、各移動子１１や各コードボビン２それぞれにセンサー１３を設ける必要がないので、安価に装置を構成することができる。
【００３４】
図５及び図６には、本発明の他の実施形態のコード供給装置１のコード切れ検知部１０の拡大図が示されている。図５及び図６において、上述した実施形態と共通する構成には、同一の符号が付されている。
【００３５】
図５に示される実施形態では、ホルダー１２が各コード３の上側に設けられている。移動子１１の第１部分１６は、ホルダー１２の下側に設けられている。移動子１１の第２部分１７は、第１部分１６の上側に配され、ホルダー１２のガイド孔１５に支持されている。
【００３６】
この実施形態の移動子１１は、例えば、底部２５にガイド溝２６を有している。コード３は、ガイド溝２６に嵌まっている。これにより、移動子１１がコード上に載せられ、第１の位置に保持されている。移動子１１は、コード３の張力の低下により、重力で下降して第２の位置（図５では、移動子１１ｂの位置）に移動する。このような態様は、第１部分１６が重りとなって、移動子１１が滑らかに下降し得る。しかも、コード３がガイド溝２６に嵌まっているに過ぎないため、コード切れにより装置１の運転が停止した後における、装置１の復帰作業が容易となる。
【００３７】
移動子１１は、例えば、第２の位置でホルダー１２に衝突してガイド孔１５からの抜け落ちを防ぐ係合部２７を含んでいるのが望ましい。
【００３８】
図６に示される実施形態では、ホルダー１２が各コード３の下側に設けられている。移動子１１の第１部分１６、及び、移動子１１を検知するセンサー１３は、ホルダー１２の上側に設けられている。しかも、移動子１１の第１部分１６とホルダー１２との間には、弾発手段として、例えば、バネ２８が配されている。移動子１１は、バネ２８によってホルダー１２に対して上向きに付勢されている。
【００３９】
移動子１１は、バネ２８の付勢力とコード３の張力との釣合いにより、第１の位置に保持されている。移動子１１は、コードの張力が低下した場合、バネに押されて第２の位置へと移動し、センサー１３に検知される。このような態様は、バネの反発力によって強制的に移動子１１を移動させるため、第２部分１７がガイド孔１５に引っ掛かるおそれが小さい。
【００４０】
以上、本発明の一実施形態のコード供給装置が詳細に説明されたが、本発明は、上記の具体的な実施形態に限定されることなく、種々の態様に変更して実施され得る。
【符号の説明】
【００４１】
２  コードボビン
３  コード
５  被供給部
７  フレーム
１１  移動子
１３  センサー
【図１】
2016216849.tif 000003
【図２】
2016216849.tif 000004
【図３】
2016216849.tif 000005
【図４】
2016216849.tif 000006
【図５】
2016216849.tif 000007
【図６】
2016216849.tif 000008